(57)【要約】【課題】リサイクルでき、工事コストが低減し、補修工事が容易になる床煉瓦を提供する。【解決手段】底層１は、高硬度を持つセメント製品であり、床面に鋪設される。フレキシブルマッド２は、射出成形によって底層１の上面１１に結合され、適宜の緩衝力を提供する。底層１は、粘着効果を良くするために上面に高い粗さを持つ表面２１があり、別の底層１の接合縁１３と接合する接合縁１３が複数に設けられている。また、フレキシブルマッド２は、上面１１に塗布された粘着層を介して底層１と結合する。床煉瓦は、床面に直接に鋪設でき、ＰＣレヤーを塗布する必要がなく、地球環境に優しく、リサイクルが可能になる。また、床煉瓦は、二次工事を実施する必要がなく、工事コストが低減する。床煉瓦が破壊された場合には、当該箇所の床煉瓦を更新するだけでよく、補修工事が容易になる。【選択図】図１
0003126463.tif 000002
【実用新案登録請求の範囲】
【請求項１】
高硬度を持つセメント製品からなり、床面に鋪設される底層と、
前記底層の上面に結合され、適宜の緩衝力を提供するフレキシブルマッドとを備える床煉瓦において、
前記底層は粘着効果を良くするために上面に高い粗さを持つ表面を有し、別の底層の接合縁と接合する接合縁が複数設けられていることを特徴とする床煉瓦。
【請求項２】
前記フレキシブルマッドは、射出成形によって前記底層の上面に結合されることを特徴とする請求項１に記載の床煉瓦。
【請求項３】
前記フレキシブルマッドは、前記底層の上面に塗布された粘着層を介して前記底層と結合することを特徴とする請求項１に記載の床煉瓦。
【考案の詳細な説明】
【技術分野】
【０００１】
本考案は、床煉瓦に係り、特に、安全性が高く、周辺環境に相応している床煉瓦に関するものである。
【背景技術】
【０００２】
生活レベルの向上に伴って、国民が生活品質をもっと重視することになり、だから、公園、駐車場および子供の遊び場が大量に建設されるようになっている。なお、上記場所で子供の不意の倒れによる怪我を防止するために、樹脂マッドを鋪設することが一般になっている。前記樹脂マッドの鋪設プロセスは、まず、鋪設しようとする床面を平面に整えてＰＣレヤーを塗布した後、前記ＰＣレヤーの上に多数の樹脂マッドを鋪設することであり、前記樹脂マッドは発泡素材であるので、緩衝効果を有し、だから、子供の不意の倒れによる怪我を防止することができる。
【０００３】
前記樹脂マッドは、子供の不意の倒れによる怪我を防止することができるが、ＰＣレヤーの塗布は水の循環を破壊し、雨水の土への滲入を阻止する欠点があり、そして、長期間に使用されると、窪んだ状態になり、または、受け力が不足することが原因で、ＰＣレヤーを取り除いて新たに施工することが必要になり、しかしながら、ＰＣレヤーの取り除き工事は環境を汚染することがある。
【考案の開示】
【考案が解決しようとする課題】
【０００４】
本考案の主な目的は、平面に整えた床面に直接に鋪設することができ、ＰＣレヤーを塗布する必要がなくなり、地球環境に優しく、リサイクル可能の床煉瓦を提供する。
本考案の次の目的は、子供の不意の倒れによる怪我を防止することができ、二次工事を実施する必要がなく、工事コストが低減する床煉瓦を提供する。
本考案の別の目的は、ある箇所で床煉瓦が破壊された場合には、当該箇所の床煉瓦を更新するだけでよく、全部の床煉瓦を更新する必要がなく、補修工事が容易になる床煉瓦を提供する。
【課題を解決するための手段】
【０００５】
上記目的を達成するためになされた本考案は、高硬度を持つセメント製品であり、床面に鋪設される底層と、前記底層の上面に結合され、適宜の緩衝力を提供するフレキシブルマッドとを含む床煉瓦において、前記底層は粘着効果を良くするために上面に高い粗さを持つ表面があり、別の底層の接合縁と接合する接合縁が複数に設けてあることを特徴とする床煉瓦であることを要旨としている。
【０００６】
本考案では、前記フレキシブルマッドは射出成形によって前記底層の上面に結合されることを特徴とする請求項１に記載の床煉瓦であることを要旨としている。
本考案では、前記フレキシブルマッドは、前記底層の上面に塗布された粘着層を介して前記底層と結合することを特徴とする請求項１に記載の床煉瓦であることを要旨としている。
【考案の効果】
【０００７】
本考案の床煉瓦によれば、次のような効果がある。
（イ）平面に整えた床面に直接に鋪設することができ、ＰＣレヤーを塗布する必要がなくなり、地球環境に優しく、リサイクルが可能になる。
（ロ）子供の不意の倒れによる怪我を防止することができ、二次工事を実施する必要がなく、工事コストが低減する。
（ハ）ある箇所で床煉瓦が破壊された場合には、当該箇所の床煉瓦を更新するだけでよく、全部の床煉瓦を更新する必要がなく、補修工事が容易になる。
【考案を実施するための最良の形態】
【０００８】
以下、添付図面を参照して本考案の好適な実施の形態を詳細に説明する。
まず、図１から図５を参照する。本考案の実施例１または実施例２による床煉瓦は、底層１と、フレキシブルマッド２とを含む。
前記底層１は、高硬度を持つセメント製品（例えば、連鎖煉瓦など）であり、且つその形状は矩形でもいいし、多辺形でもいいし、菱形でもよく、図３に示すように、粘着効果を良くするために、上面１１に高い粗さを持つ表面があり、そして、別の底層１の接合縁１３と接合する接合縁１３が複数に設けてある。
【０００９】
前記フレキシブルマッド２は、前記底層１に一致する形状および寸法を有し、前記底層１の上面１１に結合され、本実施例では、前記フレキシブルマッド２は弾性を持つゴムマッドであり、前記底層１の上面１１に塗布された粘着層３を介して前記底層１と結合し、そうすると、前記フレキシブルマッド２は適宜の緩衝力を提供することができ、すなわち、子供の不意の倒れによる怪我を防止することができ、且つ前記フレキシブルマッド２の前記底層１に粘着された面の反対面に相異の模様および色彩を印刷してもいい。
【００１０】
また、本実施例の床煉瓦の鋪設プロセスは、まず、鋪設しようとする床面を平面に整えて、図４に示すように、前記床面に底層１を一つ一つ配列すると、床煉瓦の鋪設が完成する。
また、本実施例の床煉瓦は、鋪設された各床煉瓦の間に隙間があるので、水の循環が破壊されず、雨水の土への滲入が順調であり、だから、地球環境に優しく、周辺環境に相応する製品である。
【００１１】
もちろん、床煉瓦を鋪設しようとする床面に水透過可能の粒層を先に鋪設した後、前記底層を鋪設すると、水透過性がもっと良くなる効果がある。
また、本実施例の床煉瓦の底層１の上面１１にはフレキシブルマッド２が結合してあるので、底層１を鋪設すると、表面はフレキシブルマッド２であり、だから、子供の不意の倒れによる怪我を防止することができ、二次工事を実施する必要がなく、工事コストが低減する。
【００１２】
また、本実施例の床煉瓦によれば、ある箇所で床煉瓦が破壊された場合には、当該箇所の床煉瓦を更新するだけでよく、全部の床煉瓦を更新する必要がなく、補修工事が容易になる。
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００１３】
【図１】本考案の実施例１による床煉瓦の分解斜視図である。
【図２】本考案の実施例１による床煉瓦の断面図である。
【図３】本考案の実施例１による床煉瓦の矩形状態の分解斜視図である。
【図４】本考案の実施例１による床煉瓦の鋪設された状態の概略図である。
【図５】本考案の実施例２による床煉瓦の概略図である。
【符号の説明】
【００１４】
１  底層、１Ａ  底層、２  フレキシブルマッド、２Ａ  フレキシブルマッド、３  粘着層、１１  上面、１１Ａ  上面、１３  接合縁、２１  表面
【図１】
0003126463.tif 000003
【図２】
0003126463.tif 000004
【図３】
0003126463.tif 000005
【図４】
0003126463.tif 000006
【図５】
0003126463.tif 000007